【手続補正書】
【提出日】平成18年1月23日(2006.1.23)
【手続補正１】
【補正対象書類名】明細書
【補正対象項目名】特許請求の範囲
【補正方法】変更
【補正の内容】
【特許請求の範囲】
【請求項１】  表面を印刷対象面とし裏面を粘着面とする基材テープと前記粘着面を覆う剥離テープとを有する印刷テープを装着するテープ装着手段と、
前記印刷テープの前記印刷対象面の長手方向に複数の印刷画像を並べて印刷する印刷手段と、
前記印刷テープをその幅方向にカットするカット手段と、
前記カット手段を制御する制御手段と、
を備え、
前記カット手段は、少なくとも前記剥離テープの幅方向の一部が連結部として連結された状態で残るようにカットする連結カットが可能な手段であり、
前記制御手段は、前記印刷テープに印刷された前記複数の印刷画像の相互間について、前記連結カットを前記カット手段に行わせる連結カット制御手段を有することを特徴とするテープ印刷装置。
【請求項２】  前記連結部の前記幅方向における長さを、複数の選択肢から連結幅として選択可能な連結幅選択手段をさらに備えたことを特徴とする、請求項１に記載のテープ印刷装置。
【請求項３】  前記連結部の前記幅方向における位置を、複数の選択肢から連結位置として選択可能な連結位置選択手段をさらに備えたことを特徴とする、請求項１または２に記載のテープ印刷装置。
【請求項４】  前記カット手段は、前記印刷テープの幅方向の一方の端である基準端側から他方の端である対向端側への正方向へカットする正方向カットと、前記対向端側から前記基準端側への逆方向へカットする逆方向カットと、が可能な手段であることを特徴とする、請求項１または２に記載のテープ印刷装置。
【請求項５】  前記カット手段は、相互に逆の回転方向となる正転および逆転の一方によって前記正方向カットを駆動し、前記正転および逆転の他方によって前記逆方向カットを駆動する駆動モータを有し、
前記制御手段は、前記駆動モータの回転を制御する回転制御手段を有することを特徴とする、請求項４に記載のテープ印刷装置。
【請求項６】  前記カット手段は、
前記正方向と前記逆方向の双方にスライドカットが可能なカッタと、
前記カッタを、前記印刷手段による前記印刷テープの送り経路から離間して位置するＡ状態と、前記送り経路に近接して且つ前記送り経路より前記基準端側に位置するＢ状態と、前記送り経路に近接して且つ前記送り経路より前記対向端側に位置するＣ状態と、の間で状態遷移させるカッタ作動手段と、
を有し、
前記Ｂ状態から前記Ｃ状態への直接の状態遷移の途中で前記正方向カットを実行し、前記Ｃ状態から前記Ｂ状態への直接の状態遷移の途中で前記逆方向カットを実行し、前記Ａ状態を介しての状態遷移によりカットを伴わない前記Ｂ状態と前記Ｃ状態との間の状態遷移を行うことを特徴とする、請求項４または５に記載のテープ印刷装置。
【請求項７】  前記連結部の前記幅方向における位置を、複数の選択肢から連結位置として選択可能な連結位置選択手段をさらに備え、
前記連結位置の複数の選択肢には、前記基準端側で連結する基準端側連結と、前記対向端側で連結する対向端側連結と、中央部で連結する中央連結と、が含まれ、
前記制御手段は、
前記対向端側連結が選択されたときに、前記連結部が前記対向端側連結となるように前記正方向カットを行う対向端側連結カットを、前記カット手段に行わせる対向端側連結カット制御手段と、
前記基準端側連結が選択されたときに、前記連結部が前記基準端側連結となるように前記逆方向カットを行う基準端側連結カットを、前記カット手段に行わせる基準端側連結カット制御手段と、
前記中央連結が選択されたときに、前記連結部が前記中央連結となるように前記正方向カットおよび前記逆方向カットの双方を行う中央連結カットを、前記カット手段に行わせる中央連結カット制御手段と、
前記連結部を残すカットのために、前記連結位置の選択結果に応じて、前記対向端側連結カット制御手段、前記基準端側連結カット制御手段および前記中央連結カット制御手段のいずれかを起動するカット制御起動手段と、
を有することを特徴とする、請求項４ないし６のいずれかに記載のテープ印刷装置。
【請求項８】  前記カット手段は、
前記基材テープのみを前記印刷テープの幅方向にカットするハーフカットを行うハーフカット手段と、
前記基材テープおよび前記剥離テープの双方を前記幅方向にカットするフルカットを行うフルカット手段と、
を有し、
前記フルカット手段は、前記連結カットが可能な手段であることを特徴とする、請求項１ないし７のいずれかに記載のテープ印刷装置。
【請求項９】  前記カット手段の制御によるカット方法を、前記ハーフカットのみを指示するハーフカット指示、前記連結カットを指示する連結カット指示、および、前記連結部が残らないように前記フルカットを行う全カットを指示する全カット指示を含む前記複数の選択肢から、メニュー形式で選択可能なカット方法選択手段をさらに備えたことを特徴とする、請求項８に記載のテープ印刷装置。
【請求項１０】  前記連結カット指示が選択されたときに、前記連結部については前記ハーフカットが行われることを特徴とする、請求項９に記載のテープ印刷装置。
【請求項１１】  表面を印刷対象面とし裏面を粘着面とする基材テープと前記粘着面を覆う剥離テープとを有する印刷テープを装着するテープ装着工程と、
前記印刷テープの前記印刷対象面の長手方向に複数の印刷画像を並べて印刷する印刷工程と、
前記印刷テープをその幅方向にカットするカット工程と、
を備え、
前記カット工程では、前記印刷テープに印刷された前記複数の印刷画像の相互間について、少なくとも前記剥離テープの幅方向の一部を連結部として連結された状態で残るようにカットする連結カットを行うことを特徴とするラベル作成方法。
【請求項１２】  プログラム処理可能なテープ印刷装置によって処理されることにより、請求項１ないし１０のいずれかに記載のテープ印刷装置の各手段の機能を実行可能なことを特徴とするプログラム。
【請求項１３】  プログラム処理可能なテープ印刷装置によって処理されることにより、請求項１１に記載のラベル作成方法を実行可能なことを特徴とするプログラム。
【請求項１４】  プログラム処理可能なテープ印刷装置によって読み出されて処理されることにより請求項１ないし１０のいずれかに記載のテープ印刷装置の各手段の機能を実行可能なプログラムを、記憶することを特徴とする記憶媒体。
【請求項１５】  プログラム処理可能なテープ印刷装置によって読み出されて処理されることにより請求項１１に記載のラベル作成方法を実行可能なプログラムを、記憶することを特徴とする記憶媒体。
【手続補正２】
【補正対象書類名】明細書
【補正対象項目名】０００７
【補正方法】変更
【補正の内容】
【０００７】
また、本発明のラベル作成方法は、表面を印刷対象面とし裏面を粘着面とする基材テープと前記粘着面を覆う剥離テープとを有する印刷テープを装着するテープ装着工程と、前記印刷テープの前記印刷対象面の長手方向に複数の印刷画像を並べて印刷する印刷工程と、前記印刷テープをその幅方向にカットするカット工程と、を備え、前記カット工程では、前記印刷テープに印刷された前記複数の印刷画像の相互間について、少なくとも前記剥離テープの幅方向の一部を連結部として連結された状態で残るようにカットする連結カットを行うことを特徴とする。
【手続補正３】
【補正対象書類名】明細書
【補正対象項目名】００２７
【補正方法】変更
【補正の内容】
【００２７】
また、上述のテープ印刷装置において、カット手段の制御によるカット方法を、ハーフカットのみを指示するハーフカット指示、連結カットを指示する連結カット指示、および、連結部が残らないようにフルカットを行う全カットを指示する全カット指示を含む複数の選択肢から、メニュー形式で選択可能なカット方法選択手段をさらに備えたことが好ましい。
【手続補正４】
【補正対象書類名】明細書
【補正対象項目名】００２８
【補正方法】変更
【補正の内容】
【００２８】
このテープ印刷装置では、カット方法を、複数の選択肢からカット指示として選択可能なので、印刷画像が印刷されたテープをその後どのように扱うかなどの都合に合わせて、カット方法（を指示するカット指示）を任意に選択でき、これにより、所望のカット方法でカットされた状態で各印刷画像が印刷されたテープを取得できる。具体的には、カット指示の複数の選択肢には、ハーフカット指示、連結カット指示、全カット指示が含まれ、メニュー形式で選択可能なので、これらのいずれかをカット指示として簡単に選択できる。また、従来からのハーフカットや全カット（いわゆるフルカット）も選択できるので、従来機種に対する上位互換性も保有でき、従来からのユーザの使い勝手も確保できる。
【手続補正５】
【補正対象書類名】明細書
【補正対象項目名】００２９
【補正方法】削除
【補正の内容】
【手続補正６】
【補正対象書類名】明細書
【補正対象項目名】００３０
【補正方法】削除
【補正の内容】
【手続補正７】
【補正対象書類名】明細書
【補正対象項目名】００３４
【補正方法】削除
【補正の内容】
【手続補正８】
【補正対象書類名】明細書
【補正対象項目名】００３６
【補正方法】削除
【補正の内容】
【手続補正９】
【補正対象書類名】明細書
【補正対象項目名】００３８
【補正方法】削除
【補正の内容】
【手続補正１０】
【補正対象書類名】明細書
【補正対象項目名】００３９
【補正方法】変更
【補正の内容】
【００３９】
また、本発明のプログラムは、プログラム処理可能なテープ印刷装置によって処理されることにより、上記したテープ印刷装置の各手段の機能を実行可能なことを特徴とする。
【手続補正１１】
【補正対象書類名】明細書
【補正対象項目名】００４０
【補正方法】変更
【補正の内容】
【００４０】
また、本発明の他のプログラムは、プログラム処理可能なテープ印刷装置によって処理されることにより、上記したラベル作成方法を実行可能なことを特徴とする。
【手続補正１２】
【補正対象書類名】明細書
【補正対象項目名】００４２
【補正方法】変更
【補正の内容】
【００４２】
また、本発明の記憶媒体は、プログラム処理可能なテープ印刷装置によって読み出されて処理されることにより上記したテープ印刷装置の各手段の機能を実行可能なプログラムを、記憶することを特徴とする。
【手続補正１３】
【補正対象書類名】明細書
【補正対象項目名】００４３
【補正方法】変更
【補正の内容】
【００４３】
また、本発明の他の記憶媒体は、プログラム処理可能なテープ印刷装置によって読み出されて処理されることにより上記したラベル作成方法を実行可能なプログラムを、記憶することを特徴とする。